(57)【要約】【課題】  住宅などの建物の免震構造に使用されるカバー部材を備えた支承構造において、点検作業の効率化を図るようにした。【解決手段】  支承構造１は、球状をなす転がり材５ａを回転可能に内装して転動面４ａを転動可能とする支承本体５を備え、転動面４ａを覆い支承本体５の外周５ｂを挟み込むように第１分割部材６１と第２分割部材６２とに分割されたカバー鋼板６とを備えている。第１分割部材６１と第２分割部材６２とは、接合面にシール部材１０を介入してカバー鋼板６の転動面４ａの反対側からボルト９ａとナット９ｂによって接合されている。【選択図】      図２
2006219880.tif 000002
【特許請求の範囲】
【請求項１】
転がり材又はすべり材を内装して摺動面を摺動可能に設けた支承本体と、
前記摺動面を覆い、前記支承本体を挟み込むように少なくとも２つ以上の分割部材に分割されたカバー部材と、
を備え、
前記分割部材同士の接合面には、前記カバー部材の前記摺動面の反対側で接合できるように固定部材が設けられていることを特徴とする建物免震用支承構造。
【請求項２】
前記支承本体には、取り付けられた前記カバー部材が前記摺動面側にずれないように支持部が設けられていることを特徴とする請求項１に記載の建物免震用支承構造。
【請求項３】
前記カバー部材では、前記分割部材の前記接合面にシール部材が設けられていることを特徴とする請求項１又は２に記載の建物免震用支承構造。
【発明の詳細な説明】
【技術分野】
【０００１】
本発明は、住宅などの建物の免震構造に使用される建物免震用支承構造に関する。
【背景技術】
【０００２】
従来、住宅などの建物に構築されている免震構造は、粉塵の発生が極めて多い建物の基礎に設置されているのが一般的である。この粉塵が支承構造（転がり支承構造又はすべり支承構造とする、以下同様）の摺動面に付着すると、支承構造の機能が低下することから、摺動面を保護する防塵カバーを設置することが必要とされている。そして、この免震機能を保つためには、定期的に摺動面や支承構造の点検を実施しているのが一般的である。
ここで、防塵カバーの役割を果たすものとして、例えば、摺動面を防塵するために、摺動範囲の上方を覆った一枚のカバー部材を支承本体に設けた支承構造がある。このカバー部材は、支承本体を取り囲むようにして下方よりビス止め又は止め輪などの固定部材によって取り付けられている。そして、カバー部材と摺動面との間の空間には、摺動面の防塵範囲を確保して、この防塵範囲を囲う周壁をなす弾性体が設けられ、外部から密閉された防塵領域が形成されている。
このカバー部材を備えた支承構造の点検作業では、カバー部材を取り除いた後に、摺動面、支承本体及びカバー部材下面の粉塵の付着状態などを目視によって確認する。さらに、カバー部材を取り外さずに摺動面を点検する場合には、カバー部材及び支承本体を一方向に移動させて、目視可能となる摺動面の範囲を点検し、目視点検できない範囲については、カバー部材及び支承本体を反対方向に移動して確認する。
また、上述した以外の防塵カバーとしては、例えば特許文献１及び特許文献２に提案されている。
特許文献１及び特許文献２では、開口部側を摺動面に向け箱形に形成されている防塵カバーが、支承本体に設けられている。この防塵カバーは軽量部材から形成されているとともに分割されているため、取り外しが容易となる構造である。さらに、特許文献１では、防塵カバーの上部に止め具が設けられることにより、分割されている防塵カバー同士の分割又は接合が容易な構成となっている。
【特許文献１】特開２００４−７６４７２号公報
【特許文献２】特開平１１−２３６９４２号公報
【発明の開示】
【発明が解決しようとする課題】
【０００３】
しかしながら、上述した防塵用のカバー部材を備えた支承構造では、カバー部材の取り付け部をなす固定部材の位置が密閉された防塵領域内となるため、点検などでカバー部材を取り外す場合には、カバー部材が取り付けられている支承本体ごと取り外すことになる。このときには、支承本体の周囲でサポート材により仮り受けを行う必要があり、取り外し作業が容易ではない。このようなことから、例えば住宅などのように狭小な免震層で点検作業を実施する場合には、作業性が悪く手間と時間がかかるうえ、安全性に問題がある。
また、カバー部材を取り除かずに支承本体とカバー部材とを移動させて点検する方法では、建物の躯体を含めて強制的に移動させるための大掛かりな移動手段と手間が必要となる。
一方、上述した特許文献１及び特許文献２では、防塵カバーと摺動面との間が固定されてないうえ、防塵カバーが軽量部材により形成されていることから、隙間が発生して、この隙間から粉塵が防塵カバー内に進入するという問題がある。
【０００４】
本発明は、上述する問題点に鑑みてなされたもので、住宅などの建物の免震構造に使用されるカバー部材を備えた支承構造において、点検作業の効率化を図るようにした建物免震用支承構造を提供することを目的とする。
【課題を解決するための手段】
【０００５】
上記目的を達成するため、本発明に係る建物免震用支承構造では、転がり材又はすべり材を内装して摺動面を摺動可能に設けた支承本体と、摺動面を覆い、支承本体を挟み込むように少なくとも２つ以上の分割部材に分割されたカバー部材とを備え、分割部材同士の接合面には、カバー部材の摺動面の反対側で接合できるように固定部材が設けられていることを特徴としている。
本発明では、防塵用のカバー部材を備えた支承構造において、カバー部材が少なくとも２つ以上に分割され、これらの分割部材同士を接合するための固定部材が摺動面と反対側となるカバー部材の上方に設けられているため、例えば点検時において容易にカバー部材を取り外すことができる。そして、防塵領域内の摺動面や転がり材（すべり材）における粉塵の付着状態を確認できるとともに、取り外したカバー部材の下面側の状態をも確認することができる。
このように、支承本体にカバー部材を取り付けるための固定部材が、カバー部材と摺動面との間の狭い隙間にないため、従来のように点検時に支承本体を躯体から取り外す作業が不要となる。したがって、住宅などのように免震構造の設置箇所が狭い場所であっても点検作業の効率化を図ることができる。
【０００６】
また、本発明に係る建物免震用支承構造では、支承本体には、取り付けられたカバー部材が摺動面側にずれないように支持部が設けられていることが好ましい。
本発明では、支承本体に取り付けられているカバー部材の摺動面側に、例えば止め輪などの支持部を設けることにより、このカバー部材が自重で摺動面側にずれることを防止できる。
【０００７】
また、本発明に係る建物免震用支承構造は、カバー部材では、分割部材の接合面にシール部材が設けられていることが好ましい。
本発明では、夫々の分割部材の接続面にシール部材を介入させて固定部材によって接合されるため、カバー部材の接合面の防塵効果を向上させることができる。
【発明の効果】
【０００８】
本発明の建物免震用支承構造によれば、防塵用のカバー部材を備えた支承構造において、カバー部材が少なくとも２つ以上に分割され、これらの分割部材同士を接合するための固定部材が摺動面と反対側に設けられているため、例えば点検時において容易にカバー部材を取り外すことができる。そして、防塵領域内の摺動面や転がり材（すべり材）における粉塵の付着状態を確認できるとともに、取り外したカバー部材の下面側の状態をも確認することができる。
支承本体にカバー部材を取り付けるための固定部材が、カバー部材と摺動面との間の狭い隙間にないため、従来のように点検時に支承本体を躯体から取り外す作業が不要となり、住宅などのように免震構造の設置箇所が狭い場所であっても点検作業の効率化を図ることができ、作業の安全性を図ることができる。
【発明を実施するための最良の形態】
【０００９】
以下、本発明の実施の形態について、図１乃至図４に基づいて説明する。
図１は実施の形態による建物免震用支承構造を示す側面図、図２は図１に示す支承構造の拡大図、図３（ａ）は図２に示すカバー鋼板の分解平面図、図３（ｂ）は図３（ａ）に示すカバー鋼板の分解側面図、図４は変形例による支承構造を示す図である。
【００１０】
図１に示すように、本実施の形態による支承構造１は、例えば住宅などの建物の免震構造に使用され、建物の躯体２の下部２ａに固定されている。そして、基礎３の上面３ａには、平板状の転動面４ａ（摺動面）をなす転動鋼板４が設けられている。
支承構造１は、球状の転がり材５ａを回転可能に内装して転動面４ａを転動可能に設けた支承本体５と、転動鋼板４の転動面４ａを覆うように備えられ支承本体５の下方外周５ｂを囲って取り付けられたカバー鋼板６（カバー部材）とから概略構成されている。
【００１１】
そして、図１に示すように、転動鋼板４とカバー鋼板６との間で、防塵を必要とする所定空間に防塵領域Ｒを確保し、その防塵領域Ｒの側面を囲う周壁をなす弾性体７が設けられている。
この弾性体７は、下端７ａが転動鋼板４の転動面４ａに固着している。そして、弾性体７の上端７ｂにカバー鋼板６が当接するため、カバー鋼板６と弾性体７とが隙間なく密着し、防塵領域Ｒ内は外方から遮断されて防塵されることになる。
なお、この弾性体７は防塵領域Ｒを確保するために設けられていることが好ましいが、材質及び形状等については、この弾性体７に限定はされない。
【００１２】
図２に示すように、支承本体５の下方には、本体周部５ｆより縮径された縮径部５ｃが形成され、本体周部５ｆと縮径部５ｃとの境界には段差面５ｄが形成されている。
そして、カバー鋼板６は、支承本体５の縮径部５ｃの上端を囲うように取り付けられ、カバー鋼板６の略中央となる上面６ａが段差面５ｄに当接して固定されている。
【００１３】
さらに、図２に示すように、縮径部５ｃの外周５ｂで、カバー鋼板６の下端に接する位置に溝５ｅが形成されている。そして、この溝５ｅには、例えばＣ型形状をなす止め輪８（支持部）が設けられ、縮径部５ｃの外周５ｂに取り付けられたカバー鋼板６を下方より支持している。このような構成により、カバー鋼板６は転動面４ａの側にずれることなく支承本体５に固定することができる。
【００１４】
次に、図３に示すように、カバー鋼板６は、カバー鋼板６の略中央で支承本体５の縮径部５ｃを挟み込むように二分割されて、第１分割部材６１と第２分割部材６２とを構成している。
図３（ａ）に示すように、第１分割部材６１と第２分割部材６２との接合部は、縮径部５ｃを挟み込み半円状に形成された半円接合部６１ａ、６２ａと、その両側で両分割部材６１、６２を接合して固定させる接合部６１ｂ、６２ｂとから構成されている。そして、図３（ｂ）に示すように、接合部６１ｂ、６２ｂは、カバー鋼板６の上方に起立してなる接合面６１ｃ、６２ｃが形成されている。
【００１５】
図３（ａ）及び（ｂ）に示すように、接合面６１ｃ、６２ｃには、貫通孔６１ｄ、６２ｄが水平方向に所定間隔で形成されている。そして、両分割部材６１、６２の接合面６１ｃ、６２ｃ同士を合わせた状態で、貫通孔６１ｄ、６２ｄにボルト９ａ（固定部材）を挿通させ、ナット９ｂ（固定部材）と螺合させることで接合される。
また、接合面６１ｃと６２ｃとの間には、例えばゴムシートなどの弾力性を有したシール部材１０が設けられている。これによって、第１分割部材６１と第２分割部材６２とが接合することで、この接合面６１ｃ、６２ｃの隙間がなくなり、カバー鋼板６の防塵性が向上することになる。
【００１６】
上述した本実施の形態によるカバー鋼板６を備えた支承構造１では、例えば点検時の場合には、第１分割部材６１と第２分割部材６２とを接合するボルト９ａ及びナット９ｂをカバー鋼板６の上方側から外すことによって、カバー鋼板６を支承本体５から容易に取り除くことができる。これにより、防塵領域Ｒ内の転動面４ａや転がり材５ａにおいて粉塵の付着状態などを確認できるとともに、取り外したカバー鋼板６の下面６ｂの状態についても確認することができる（図２参照）。
このように、カバー鋼板６は、従来のようにカバー鋼板６の転動面４ａ側にボルト９ａやナット９ｂのような固定部材がないため、点検時に支承本体５を躯体２から取り外す作業が不要となる。したがって、住宅などの狭い免震層の空間の中での作業で安全性を向上できるとともに、点検作業の効率化を図ることができる。
また、カバー鋼板６の接合面６１ｃ、６２ｃにシール部材１０を設けたことによって、防塵領域Ｒの密閉性を向上することができる。
【００１７】
次に、実施の形態の変形例について、図４に基づいて説明するが、上述の実施の形態と同一又は同様な部材、部分には同一の符号を用いて説明を省略し、実施の形態と異なる構成について説明する。
図４に示すように、本変形例による支承本体５では、その下端が本体周部５ｆより大きく拡径された拡径部５ｇ（支持部）を形成している。
そして、カバー鋼板６の円形接合部６１ａ及び６２ａは、本体周部５ｆと同等の半径寸法を有する半円状に形成され、拡径部５ｇの上方に載置されて、本体周部５ｆを挟み込んでボルト９ａとナット９ｂとによって固定されている。これにより、支承本体５に固定されたカバー鋼板６は、拡径部５ｇで支持されることで転動面４ａの側にずれて下がることがない（図３参照）。
本変形例では、実施の形態と同様の効果を奏し、点検時などに支承本体５を取り外すことなく、容易にカバー鋼板６を取り除くことができる。
【００１８】
以上、本発明による建物免震用支承構造の実施の形態及び変形例について説明したが、本発明は上記の実施形態に限定されるものではなく、その趣旨を逸脱しない範囲で適宜変更可能である。
例えば、実施の形態及び変形例では転がり材５ａを備えた転がり用の支承本体５としているが、必ずしも転がり用の支承本体５に限定されることはなく、支承本体５の下面に転がり材５ａに代えて摺動面を摺動するすべり材を備えた支承本体５であってもよい。
また、実施の形態及び変形例ではカバー鋼板６が二分割されているが、分割数について限定されることはなく、少なくとも二分割以上となっていればよい。
さらに、実施の形態及び変形例ではカバー鋼板６の第１分割部材６１と第２分割部材６２の接続にボルト９ａとナット９ｂによる固定部材としているが、これに限定されることはなく、容易に分割又は接合ができる固定部材であればよい。そして、カバー鋼板６の第１分割部材６１と第２分割部材６２の分割及び接合作業が、カバー鋼板６の転動面４ａと反対側で行うことができればよい。
【００１９】
また、実施の形態及び変形例では、支承本体５に取り付けられているカバー鋼板６を下方より支持するために、止め輪８又は支承本体５に形成した拡径部５ｇを設けているが、これらの支持部に限定されることはない。要は、取り付けたカバー鋼板６が転動面４ａの側にずれないように固定されていればよいのである。
さらに、実施の形態及び変形例において第１分割部材６１と第２分割部材６２の接合面６１ｃ、６２ｃにシール部材１０を挟み込んでいるが、半円接合部６１ａ、６２ａの一方又は両方にシール部材１０を取り付けて防塵性を高めてもよい。なお、このシール部材１０は、設けなくてもよい。
さらにまた、実施の形態及び変形例では、カバー鋼板６及び転動鋼板４は鋼板から形成されているが、必ずしもこの部材に限定されることはなく、例えばゴム製やプラスチック製などの部材であっても構わない。
【図面の簡単な説明】
【００２０】
【図１】本発明の実施の形態による建物免震用支承構造を示す側面図である。
【図２】図１に示す支承構造の拡大図である。
【図３】図３（ａ）は図２に示すカバー鋼板の分解平面図、図３（ｂ）は図３（ａ）に示すカバー鋼板の分解側面図である。
【図４】変形例による支承構造を示す図である。
【符号の説明】
【００２１】
１  支承構造
４  転動鋼板
４ａ  転動面（摺動面）
５  支承本体
６  カバー鋼板（カバー部材）
６１  第１分割部材
６２  第２分割部材
６１ｃ、６２ｃ  接合面
７  弾性体
８  止め輪（支持部）
９ａ  ボルト（固定部材）
９ｂ  ナット（固定部材）
１０  シール部材
Ｒ  防塵領域
【図１】
2006219880.tif 000003
【図２】
2006219880.tif 000004
【図３】
2006219880.tif 000005
【図４】
2006219880.tif 000006